(57)【要約】　　　（修正有）【課題】支点軸を制御する扉の開度制御の施錠装置を提供する。【解決手段】ドア枠４の上下に支点軸２を固定し、回動可能な円筒支点軸８を上下の支点軸２に挿入し、次に円筒９を上下の支点軸２に挿入し固定する。円筒支点軸８と、円筒９を包括する位置に線状コイル１０を挿入し、線状コイル１０の一端を支点軸２と円筒９に固定し、線状コイルの制御端１０Ｂを、鍵（キー）部と連結して制御する事により、非制御の時は、線状コイルの内面巻き込み摩擦により、円筒９を起点に円筒支点軸８は、円筒９と固着され開ドアを困難とする。鍵（キー）部と連動し、線状コイルの制御端１０Ｂを、ワイヤー１５などにより線状コイル１０を開いた状態を維持させると、線状コイル１０は延伸し、内径が大きくなり、円筒９と円筒支点軸８間の線状コイル１０の内面摩擦力は開放され、ドアは自由に開くが、ワイヤー１５を離す位置によって、開度を制御可能とする施錠機能装置。【選択図】　　　図２
2004068563.tif 000002
【特許請求の範囲】
【請求項１】
扉（以下ドアと言う）枠にドア部をはめ込み、ドア枠の上下に支点軸を固定し、ドア内部の上下に支点軸の外径と同等の内径を有する、回動可能な円筒支点軸を上下の支点軸に挿入し固定する、支点軸を基点に開閉可能な状態を構成する、次に支点軸の外径と同等の内径を有し、又円筒支点軸の外径と同等の外径を有する円筒を上下の支点軸に挿入し、円筒をそれぞれ、支点軸に固定する手段と、支点軸に挿入した円筒支点軸と、支点軸に固定した円筒を包括する位置に、コイルスプリング（以下線状コイルという）を挿入し、線状コイルの一端を支点軸と円筒に固定する手段と、線状コイルの非固定端（以下制御端と言う）を制御する手段とを備え、鍵（キー）部と連結して制御する事により、線状コイルの内面巻き込み摩擦により、ドア錠の解錠又は錠を破壊もしくは除去されても、開ドアを困難とする事及び線状コイルの制御端の制御度合いにより、ドアの開度を制御可能とする施錠装置。
【発明の詳細な説明】
【０００１】
【発明の属する技術分野】
本発明は、集合住宅及び戸建住宅のドアを、開ドア困難とせしめたり、開く角度を制御せしめたり、金融機関等の現金取り扱い機器の現金保管庫（一般的に言われる金庫）のドアを開ドア困難とせしめたり、車両等の不慮の事故に於ける衝突時の開ドア阻止とせしめたり、開度の制御を可能とし施錠機能を確保した、全てのドアヒンジ型支点軸の改良を目的とする。
【０００２】
【従来の技術】
従来、集合住宅及び戸建住宅のドア及び金融機関等の現金取り扱い機器の現金保管庫（一般的に言われる金庫）の開閉機構は、蝶番方式、ヒンジ方式があり、施錠方式は、シリンダー錠で制御されデッドボルトがドア枠に差し込まれたり、回転するレバーが、ドア枠に差し込まれ、ドアの開閉を阻止する施錠方式がある。
【０００３】
【発明が解決しようとする課題】
集合住宅及び戸建住宅及び銀行の現金取り扱い機器の現金保管庫（一般的に言われる金庫）のドアの施錠装置は、従来のシリンダー錠や複雑な鍵構造等により、維持されているが、鍵穴から高度な技術により解錠が可能であり、シリンダー錠を破壊されたり除去されて、施錠機能が無効になると、開ドアを阻止することは出来ない、車両の場合、狭い駐車場での開度の制御を無段階には行えず、隣接車両に接触し、いわゆるエクボ傷の要因となったり、不慮の事故などの衝撃によって錠部分が外れて、ドアが開き車内の物品が飛び出す場合が有り、ドアが錠部分から外れた後の開ドアの阻止は出来なかった。
【０００４】
集合住宅及び戸建住宅のドアは、従来室内から外来訪問者に対し、様子を見る程度の小開き状態を維持する方法として、ドアチェーン等があるが、外来者が室内者の意志に反し、室外から強い力で引かれたとき、チェーンが切れた場合開ドアの阻止は出来なかった。
【０００５】
本発明は、従来技術に鑑みて先に本出願人が出願した「特開２００２−１０４２６１号」に於いて、公開された『ハンドルを回動不能とする盗難防止の施錠装置』を改良して、ドアの支点軸を制御した施錠装置を目的とするものである。
【０００６】
全ての錠と称する錠は、破壊すると施錠機能が解放されるのが従来の施錠装置であるが、本発明の施錠装置は、施錠装置及び開錠機能を破壊除去すると、ヒンジ型ドアの支点軸を制御し、ドア開きを困難としたり、無段階に開ドア角度を制御可能とする、施錠機構を特徴とする。
【０００７】
【課題を解決する為の手段】
ドア枠にドア部をはめ込み、ヒンジ型ドア開閉の支点軸を、ドア枠の上下に支点軸を固定し、ドア内部の上下に支点軸の外径と同等の内径を有する、回動可能な円筒支点軸を上下の支点軸に挿入し固定する、支点軸を基点に開閉可能な状態を構成する、次に支点軸の外径と同等の内径を有し、又円筒支点軸の外径と同等の外径を有する円筒を上下の支点軸に挿入し、円筒をそれぞれ支点軸に固定する手段と、支点軸に挿入した円筒支点軸と、支点軸に固定した円筒を包括する位置に、線状コイルを挿入し、線状コイルの一端を支点軸と円筒に固定する手段と、線状コイルの制御端を、鍵（キー）部と連結して制御する事により、非制御の時は、線状コイルの内面巻き込み摩擦により、支点軸に固定された円筒を起点に、円筒支点軸は円筒と固着され開ドアを困難とする事と、鍵（キー）部と連動し、ワイヤーなどにより、上下に挿入した線状コイルの制御端を、それぞれ広げる方向に引く事により、支点軸に固定した円筒と円筒支点軸間の線状コイルの内面摩擦力は、開放され、ドアは自由に開くが、ワイヤーを離す位置によって、角度を制御可能とする施錠機能を有する装置。
【０００８】
【発明の実施の形態】
以下図面に基づいて本発明の実施の形態を具体的に説明する。図１及び図２に於いて構成される。
４のドア枠と７のドアとの間に、図１で示す左中央部にデットボルトを含む錠機能を図には示さない、なぜなら錠機能が破壊撤去された状態を基本に、支点軸の機能を説明するものであり、上下対称に同様機構が配置され同時に作動するよう構成するものとする。
【０００９】
図１に於いて、４のドア枠と７のドア側の上下に、あらかじめ溶接等により、５の支点軸固定ボルトを、それぞれ図の様に固定して置く。
【００１０】
４のドア枠側の中に７のドア部を、はめ込み、５の支点軸固定ボルトの中央に開けた、２のドア支点軸の挿入穴と、６のカラーと、７のドア部の、５の円筒支点軸固定ボルトの中央に開けた支点軸の挿入穴を経由して、２のドア支点軸は１の固定ナットにより、４のドア枠の上下に固定される。
【００１１】
８の円筒支点軸を２の支点軸の上下に挿入し、５の円筒支点軸固定ボルトに１のナットで７のドア部に固定する、７が２を支点にドア枠内で、自由に回動可能で有ること。
【００１２】
９の円筒を２の支点軸の上下に挿入し、８の円筒支点軸の断面に円筒９は密着するよう位置する、その後、上部は線状コイル１０を、下部は線状コイル１１を９の円筒と８の円筒支点軸の接合面を包括する範囲まで挿入する、
【００１３】
線状コイルの材質及び断面の形状は、現存する全ての素材及び形状を示し、線状コイルの内径は８の円筒支点軸の外径より、わずか小さな内径を維持するものとする。
【００１４】
図１の上部取付の線状コイル１０の固定端１０Ａを、３の線状コイル固定ボルトにより、円筒９に開いた穴を介し、２の支点軸の横に開けられた穴を通し１の固定ナットで固定し、結果、線状コイル１０の先端１０Ａと９の円筒と、２の支点軸に連結固定される。
【００１５】
図１の下部取付の線状コイル１１の固定端１１Ａを、３の線状コイル固定ボルトにより、円筒９に開いた穴を介し、２の支点軸の横に開けられた穴を通し１の固定ナットで固定し、結果、線状コイル１１の先端１１Ａと９の円筒と、２の支点軸に連結固定される。
【００１６】
図１の上部取付の線状コイル１０は密着巻きで左巻きとし、下部取付の線状コイル１１は密着巻きで右巻きとした、上下共の制御端Ｂは、図の様に相反した位置とするが、ドアの開放方向によって、線状コイルの巻き方向は選択される。
【００１７】
以上は全体の構成を説明したが、以下図２に基づいて本発明の具体的動作例を説明するが、線状コイルの現物は密着巻きであるが、図示上粗く作図され又６のカラーは、本図での図示省略とする。
【００１８】
ドア枠４に７のドアをはめ込み、ドア支点軸２は固定ナット１で固定され、ドアを介して円筒支点軸８を固定し、９の円筒を２の支点軸に挿入し、線状コイル１０を図２のように巻き付け、線状コイルの固定端１０Ａは３のボルトで固定される、結果、斜線で示す、２の支点軸と、９の円筒と、ドア枠４は、同一力点になる。
【００１９】
次に、ワイヤー固定金具１２を１３のビスで支点軸２の先端に取付け、１５のワイヤーチューブをこの固定金具へ固定する。（図省略）
【００２０】
次に、１４のドアハンドルを７のドア部に取付け、１６のワイヤーをハンドルプレート１８に接続する、反するワイヤーの先端は線状コイル制御端１０Ｂに接続する。
【００２１】
１４のドアハンドルを回さず、ドアを２０の方向に開くと支点軸２を支点に７のドアに固定された８の円筒支点軸と共に２１の方向に回転しようとする、次第に線状コイル１０の内面摩擦により制御端１０Ｂは点線の位置から実線の位置まで１０Ａを起点に線状コイルは全体に絞り込まれ、８の円筒支点軸に巻き付き、円筒９と円筒支点軸８は線状コイルで固着された結果、２の支点軸と同一力点となり開ドア不能となる、バール等で２０の方向に強く開こうとすると、その応力に比例して線状コイル１０の内面摩擦がより一層強く働き、ドアは開かない施錠装置。
【００２２】
１４のドアハンドルを１７の方向に回すと、ワイヤー１６は１８のリンクバーの接続部を介し、線状コイルの制御端１０Ｂに接続されたワイヤーが１９の方向に移動し、制御端１０Ｂは点線の位置に移動し線状コイルを開いた状態を維持すると、線状コイルは３を起点に全般に渡り延伸し、線状コイルの内径が大きくなり内面摩擦から開放され、自由に開閉可能となる。
【００２３】
１４のドアハンドルを１７の方向に回すと、ワイヤー１６は１８のリンクバーの接続部を介し、線状コイルの制御端１０Ｂは１９の方向に移動し、制御端１０Ｂは点線の位置に移動し線状コイルは開かれ、内面摩擦から開放され、ドアを開けるが、その時必要とする角度で１４のハンドルを戻すと、その時点から次第に線状コイル１０の内面摩擦により制御端１０Ｂは点線の位置から実線の位置まで１０Ａを起点に円筒９と円筒支点軸８は、線状コイルで固着された結果、２の支点軸と同一力点となり開ドア不能となる、閉める時は線状コイルの内面摩擦は線状コイルを押し開く方向になるため、閉められるが開けられないドアとなる。
【００２４】
図２で示すドアハンドルは（又はドアレバー）、作動原理の説明上ワイヤーを動かす一つの参考例として示したが、一般的にシリンダー錠の開錠方式は、キーによってデットボルトが、スプリング等の応力を利用しシーソー式に釈放され（いわゆるカチンと開く）、ドアハンドルと連動してラッチを外して開ドアするが、ドアハンドルと連動せずに、キーを差し込まれた時のみ、キーの回転によって、ワイヤーの動作を可能とする新たな錠機構を、開発しなければならないが、錠機構には触れない。
【００２５】
【発明の効果】
本発明は以上に説明した様に構成され、ドアの支点軸に、線状コイルを取付け、その内面巻き込み摩擦により、支点軸の回転を損なわせしめたり開度の制御を可能とする施錠装置で、以下に記載するような、効果を有する。
（１）　従来、集合住居及び戸建住宅のドアの開閉機構は、蝶番方式ヒンジ方式があり施錠方式は、シリンダー錠で制御されデッドボルトがドア枠に差し込んだり、回転するレバーが、ドア枠に差し込まれたりドアの開閉を阻止する施錠装置が有るが、破壊除去されても、支点軸を制御して開ドアを阻止し、盗難防止とする事ができる。
（２）　従来ある施錠装置の錠機構は、複雑な溝を有して開錠を困難とする方法の施錠装置が多くあるが、本発明の施錠装置と組み合わせ、新たな錠機構の開発と、新たな錠機構を供給する市場喚起が見込まれる。
（３）　住居及び金庫等全てのドアを強引に開けるピッキング対策を可能とする。
（４）　集合住居及び戸建住宅のドア及び金庫等の新規市場開拓が見込まれる。
（５）　車両等のドア、開ドア角度の制御への応用と、不慮の事故に於ける衝突時の不要なドア開放防止が計られる。
【００２６】
言葉の定義
錠とは、取り付けて開けられない様にする金具等をいう。
鍵とは、錠を開け閉めする道具をいう。
【図面の簡単な説明】
【図１】本発明実施例の部品展開図である。
【図２】本発明のドア内部の動作例構成図である。
【符号の説明】
１　　　　　固定ナット
２　　　　　ドア支点軸（枠側上下）
３　　　　　線状コイル固定ボルト
４　　　　　ドア枠
５　　　　　各支点軸固定ボルト
６　　　　　カラー（上下）
７　　　　　ドア
８　　　　　円筒支点軸（ドア側上下）
９　　　　　円筒
１０　　　　上部線状コイル（密着巻き左巻きスプリング）
１０Ａ　　　上部線状コイル固定側
１０Ｂ　　　上部線状コイル非固定側（上部制御端）
１１　　　　下部線状コイル（密着巻き右巻きスプリング）
１１Ａ　　　下部線状コイル固定側
１１Ｂ　　　下部線状コイル非固定側（下部制御端）
１２　　　　ワイヤーチューブ固定金具
１３　　　　ワイヤーチューブ固定金具固定ビス
１４　　　　ハンドル（又はドアレバー）
１５　　　　ワイヤーチューブ
１６　　　　開閉制御ワイヤー
１７　　　　ドアハンドル開放動作方向
１８　　　　リンクバー
１９　　　　ワイヤー移動方向
２０．２１　ドア開け方向
【図１】
2004068563.tif 000003
【図２】
2004068563.tif 000004